(57)【要約】【課題】輸送時の荷崩れなどを起こさず、かつ寸法の異なる注射器であっても確実に把持できる注射器用トレイを低コストで提供する。【解決手段】押子２０と注射筒１１とを有する注射器１０を着脱自在に保持するためのトレイであって、注射筒１１を把持する注射筒把持部３０と、押子２０を把持する押子把持部４０とを有し、押子把持部４０が、注射筒把持部３０の把持に適した寸法の注射器よりも小さな注射器の押子を把持するのに適した構造を有することを注射器用トレイ１。【選択図】図１
2006326191.tif 000002
【特許請求の範囲】
【請求項１】
押子と注射筒とを有する注射器を着脱自在に保持するためのトレイであって、前記注射筒を把持する注射筒把持部と、前記押子を把持する押子把持部とを有し、該押子把持部が、前記注射筒把持部の把持に適した寸法の注射器よりも小さな注射器の押子を把持するのに適した構造を有することを特徴とする注射器用トレイ。
【請求項２】
前記トレイが底面を有し、前記注射筒把持部と前記押子把持部が、前記底面から突出する一対の突起により構成されなることを特徴とする請求項１に記載の注射器用トレイ。
【請求項３】
前記押子把持部が、前記底面から突出する一対の突起の頂部において、内側に突出した一対の固定突起を更に有することを特徴とする請求項２に記載の注射器用トレイ。
【請求項４】
前記注射筒把持部と前記押子把持部が、注射器の長手方向に沿って離れた位置に形成されてなることを特徴とする請求項１ないし３のいずれかに記載の注射器用トレイ。
【請求項５】
前記注射筒把持部を複数有することを特徴とする請求項１ないし４のいずれかに記載の注射器用トレイ。
【請求項６】
前記押子が複数のリブを有することを特徴とする請求項１ないし５のいずれかに記載の注射器用トレイ。
【発明の詳細な説明】
【技術分野】
【０００１】
本発明は、診断や治療などの医療行為に用いられる注射器を収納するためのトレイに関するものである。
【背景技術】
【０００２】
プラスチック成型による包装容器として、プラスチックシートを加熱下にプレスして製品のホールド部を形成し、該ホールド部に製品を把持させる包装用のトレイが広く普及している。このようなトレイは、医療器具の分野でも採用されており、注射器や注射針の包装用に用いられている。
【０００３】
特許文献１は、注射器を一本単位でブリスター包装する技術を開示している。
【０００４】
また近年、カテーテル手術等、一度に多数のディスポーザブル（使い捨て）の医療器具を使用する際に、必要とする多数の器具をひとつに包装してキット化し、購入や準備の手間を簡略化するとともに、誤使用や誤準備を防止しようとする動きがある。例えば、特許文献２参照。
【特許文献１】特開２００２−２２５９３１号公報
【特許文献２】特開２００２−１３６５９７号公報
【発明の開示】
【発明が解決しようとする課題】
【０００５】
特許文献２に示されるように、一つの手術に複数の注射器を使用する手技のためのキットには、複数の注射器を一つに包装する必要があるが、特許文献２では、これらを一つの収納部にまとめて収納させているため、輸送時などに荷崩れを起こす可能性がある。
【０００６】
特許文献１のようなブリスター包装は、単品ずつパックされているため、キットにする場合には嵩張り、ごみを増やすことになるため、適さない。また、多数の注射器を包装するようなブリスター包装を採用することも考えられるが、このようなキット製品は、病院の方針や患者の状況などに応じて、様々なサイズの注射器が要望されることがあるため、ブリスター包装の寸法のバリエーションを多数用意しておく必要が生じるため、コスト的に好ましくない。
【０００７】
本願発明は、このような問題点に鑑みてなされ、輸送時の荷崩れなどを起こさず、かつ寸法の異なる注射器であっても確実に把持できる注射器用トレイを低コストで提供することを目的とする。
【課題を解決するための手段】
【０００８】
このような目的は、下記（１）から（６）の本発明により達成される。
（１）押子と注射筒とを有する注射器を着脱自在に保持するためのトレイであって、前記注射筒を把持する注射筒把持部と、前記押子を把持する押子把持部とを有し、該押子把持部が、前記注射筒把持部の把持に適した寸法の注射器よりも小さな注射器の押子を把持するのに適した構造を有することを特徴とする注射器用トレイ。
【０００９】
（２）前記トレイが底面を有し、前記注射筒把持部と前記押子把持部が、前記底面から突出する一対の突起により構成されなることを特徴とする上記（１）に記載の注射器用トレイ。
【００１０】
（３）前記押子把持部が、前記底面から突出する一対の突起の頂部において、内側に突出した一対の固定突起を更に有することを特徴とする上記（２）に記載の注射器用トレイ。
【００１１】
（４）前記注射筒把持部と前記押子把持部が、注射器の長手方向に沿って離れた位置に形成されてなることを特徴とする上記（１）ないし（３）のいずれかに記載の注射器用トレイ。
【００１２】
（５）前記注射筒把持部を複数有することを特徴とする上記（１）ないし（４）のいずれかに記載の注射器用トレイ。
【００１３】
（６）前記押子が複数のリブを有することを特徴とする上記（１）ないし（５）のいずれかに記載の注射器用トレイ。
【発明の効果】
【００１４】
本発明の注射器用トレイによれば、大きな注射器を収納する際には注射筒把持部を使用し、小さな注射器を収納する際には押子把持部を使用して注射器を固定できるため、一種類のトレイを準備すれば、ユーザーの様々な要求に応じた注射器を、荷崩れを起こさないように包装することができ、費用的にも効率がよい。
【発明を実施するための最良の形態】
【００１５】
以下、本発明の注射器用トレイを添付図面に示す好適構成例に基づいて詳細に説明する。本実施形態の注射器用トレイは、複数の注射器をキットとして組み込む際に適した構成のものである。
【００１６】
図１は、本発明の注射器用トレイの実施形態として、トレイ１に被包装物である注射器１０を配置する様子を示す斜視図である。
【００１７】
図１において、注射器１０は、押子２０と注射筒１１とを有し、押子２０は注射筒１１に挿入された形態で、押子２０の先端に設けられた図示しないガスケットにより、注射筒１１の内面に比較的強い力で保持されることとなる。
【００１８】
注射筒１１は、図示しない注射針やその他のチューブ類に接続するためのルアーコネクタ１２と、薬液貯留部である筒状本体部１３と、注入時に指をかけるグリップとするためのフランジ１４とからなる。
【００１９】
押子１１は、先端に設けられ筒状本体部１３内に配置された図示しないガスケットと、基端に設けられた円盤状の押圧部２１と、押子本体部２２とからなる。押子本体部２２は、複数のリブ２３からなり、例えば４つのリブにより断面が十字型となるよう構成される。
【００２０】
トレイ１は、プラスチックシートを真空成形や圧空成形、プレス成形等の製造方法により加工し形成されている。
【００２１】
図１において、３０は注射筒１１を把持するための注射筒把持部であり、６本の注射筒を並列に固定可能なように、６つ並列に形成されている。注射筒把持部３０は、トレイ１の底面から突出するように設けられた一対の突起が、注射筒１１の筒状本体部１３を左右から包み込むような形状に構成される。６つの注射筒把持部３０の内、図中右側の２つの注射筒把持部３０ａ、３０ｂは、キットとして製品に組み込まれる対象となる注射器のサイズとして比較的大きく、想定される最大サイズとなる注射筒１１をちょうど把持するのに適した寸法で形成されている。また、図中左側の４つの注射筒把持部３０ｃ〜ｆは、キットとして製品に組み込まれる対象となる注射器のサイズとして比較的小さく、用途が多いため多くの数を消費されることが想定される注射筒１１をちょうど把持するのに適した寸法で形成されている。例えば、注射筒把持部３０ａ、３０ｂは、容量２０ｍｌの注射器に適した寸法であり、注射筒把持部３０ｃ〜ｆは、容量１０ｍｌの注射器に適した寸法で形成される。
【００２２】
注射筒把持部３０ｂには、注射器１０の長手方向に沿い、かつ注射筒把持部３０ｂから離れた位置に、押子把持部４０が設けられている。押子把持部４０は、押子２０を必要に応じて把持することができる。なお、注射筒把持部３０ｂと押子把持部４０が分離した位置に形成され、両者の間に空間が設けられているのは、フランジ１４が収まる空間を用意するためと、取扱いの際に指を入れる空間を確保するためである。
【００２３】
図２は、押子把持部４０の詳細な構成を説明するための図である。押子把持部４０は、トレイ１の底面から突出するように設けられた一対の突起４１ａ、４１ｂを有し、一対の突起４１ａ、４１ｂの内側には更に一対の固定突起４２ａ、４２ｂが形成されている。
【００２４】
図２（ａ）は、把持対象の注射器１０が、注射筒把持部３０ｂの寸法に適した比較的大きいサイズのものであった場合の押子把持部４０の様子を示している。図２（ａ）の場合、注射器１０は、注射筒把持部３０ｂにしっかりと把持されているため、押子把持部４０では把持を行う必要が無い。そのため、押子本体部２２の十字型のリブ２３を＋方向に設置することによって、押子本体部２２は一対の突起４１ａ、４１ｂの頂部に単に置かれた状態となり、把持はなされていない。
【００２５】
図２（ｂ）は、把持対象の注射器１０が、注射筒把持部３０ｂの寸法に適さない比較的小さいサイズのものであった場合の押子把持部４０の様子を示している。図２（ｂ）の場合、注射器１０は、注射筒把持部３０ｂ内にルーズな状態で配置されることとなるため、押子把持部４０で固定する必要がある。そのため、押子本体部２２の十字型のリブ２３を×方向に設置することによって、押子本体部２２の２つのリブ２３が一対の固定突起４２ａ、４２ｂに嵌まり、固定される。なお、押子本体部２２は、円盤状の押圧部２１がトレイ１の底面に接触し、注射筒１１が注射筒把持部３０ｂの底部に接触することにより、図２（ｂ）の状態が維持され、図中下方に下がることなく、把持される。すなわち、押子把持部４０は、注射筒把持部３０ｂの把持に適した寸法の注射筒を有する注射器よりも、小さな寸法の注射筒を有する注射器の押子を把持するのに適した構造を有する。
【００２６】
本実施形態によれば、トレイ１は、比較的大きな注射器２本と比較的小さな注射器４本を装備する場合と、比較的大きな注射器１本と比較的小さな注射器５本を装備する場合とを必要に応じて使い分けることができる。
【００２７】
以上、本発明の実施形態を図面に基づいて説明したが、本発明はこれに限定されるものではない。例えば、図３に変形例として示すように、押子把持部４０をすべての注射筒把持部３０ａ〜ｆに対して設けても良い。そのようにすることによって、装備できる注射器のサイズのバリエーションを増加させることが可能となる。
【００２８】
また、注射筒把持部３０が、筒状本体部１３でなく、フランジ１４など、別の部位を把持するものであっても良く、押子本体部２２のリブ２３は、８つなど、４つ以上あるものであってもよい。
【図面の簡単な説明】
【００２９】
【図１】トレイ１に注射器１０を配置する様子を示す図である。
【図２】押子把持部４０の詳細な構成を説明するための図である。
【図３】トレイ１の変形例を示す図である。
【符号の説明】
【００３０】
１          トレイ
１０        注射器
１１        注射筒
２０        押子
３０        注射筒把持部
４０        押子把持部
【図１】
2006326191.tif 000003
【図２】
2006326191.tif 000004
【図３】
2006326191.tif 000005